(57)【特許請求の範囲】
【請求項１】
左右の扉の連結部に隣接して配置した左右の竪框と、両竪框間に配置した連結材と、左右の竪框の長手方向端部に取付けた竪框端部キャップとを備え、左右の竪框は、それぞれ見込み方向の一方側に偏った位置で連結材と回動自在に連結してあり、連結材は、長手方向端部に取付けた竪框端部キャップ部を除く竪框間に配置してあり、竪框端部キャップは、互いに係合し合う係合部を有し、折戸を閉めたときに係合部が竪框の回動軸よりも見込み方向他方側で且つ左右の竪框間の中央位置で係合すると共に見込み面同士が竪框の回動軸よりも見込み方向他方側で当接することを特徴とする折戸。
【請求項２】
竪框端部キャップは、見込み面に設けた凹部を有し、係合部は凹部内に設けてあると共に先端部が凹部から突出しており、折戸を閉めたときに係合部が凹部内で係合することを特徴とする請求項１記載の折戸。
【請求項３】
左右の扉の連結部に隣接して配置した左右の竪框と、両竪框間に配置した連結材と、左右の竪框の長手方向端部に取付けた竪框端部キャップとを備え、左右の竪框は、それぞれ見込み方向の一方側に偏った位置で連結材と回動自在に連結してあり、竪框端部キャップは、互いに係合し合う係合部を有し、係合し合う係合部のうちの少なくとも一方の係合部は、係合面が見込み方向と平行に且つ見込み方向に所定の幅で設けてあり、折戸を閉めたときに係合部が竪框の回動軸よりも見込み方向他方側で且つ左右の竪框間の中央位置で係合すると共に見込み面同士が竪框の回動軸よりも見込み方向他方側で当接することを特徴とする折戸。
【発明の詳細な説明】
【技術分野】
【０００１】
本発明は、折戸に関する。
【背景技術】
【０００２】
従来の折戸として特許文献１には、左右の扉の隣接する竪框の見込み面を開放すると共に見込み方向の一方側に偏った位置に軸部を設け、両竪框の内部に跨って配置した連結材に両竪框の軸部を回動自在に連結し、連結材により左右の扉間の指挟みを防止しながら左右の扉を折り曲げ自在に連結したものが記載されている。この折戸は、連結材の下端部に係合部材を見込み方向に移動自在に且つ軸部と反対側に向けてバネで付勢して設けてあり、折戸を閉じたときに、竪框の軸部と反対側の端縁部に形成した係合爪が連結部材の係合歯に係合することで、折戸が閉状態でロックされるようにしている。しかし、このロック機構は構造が複雑であり、また、係合部材が正確に動作しないとロック機能が働かず、上枠や下枠に戸当りがない場合には折戸が逆折れする。このような２軸式のヒンジを有する折戸では、閉鎖する直前における左右の扉の見込み方向の位置関係が不安定なため、上述のように移動する係合部材を用いるものでは、折戸の閉状態の保持と逆折れ防止機能を安定して発揮させるのは容易ではなかった。
【特許文献１】特開２００１−３１１３４６号公報
【発明の開示】
【発明が解決しようとする課題】
【０００３】
本発明は以上に述べた実情に鑑み、指挟みを防止しながら、閉状態の保持と逆折れ防止が確実になされる折戸の提供を目的とする。
【課題を解決するための手段】
【０００４】
上記の課題を達成するために請求項１記載の発明による折戸は、左右の扉の連結部に隣接して配置した左右の竪框と、両竪框間に配置した連結材と、左右の竪框の長手方向端部に取付けた竪框端部キャップとを備え、左右の竪框は、それぞれ見込み方向の一方側に偏った位置で連結材と回動自在に連結してあり、連結材は、長手方向端部に取付けた竪框端部キャップ部を除く竪框間に配置してあり、竪框端部キャップは、互いに係合し合う係合部を有し、折戸を閉めたときに係合部が竪框の回動軸よりも見込み方向他方側で且つ左右の竪框間の中央位置で係合すると共に見込み面同士が竪框の回動軸よりも見込み方向他方側で当接することを特徴とする。
【０００５】
請求項２記載の発明による折戸は、請求項１記載の発明の構成に加え、竪框端部キャップは、見込み面に設けた凹部を有し、係合部は凹部内に設けてあると共に先端部が凹部から突出しており、折戸を閉めたときに係合部が凹部内で係合することを特徴とする。
【０００６】
請求項３記載の発明による折戸は、左右の扉の連結部に隣接して配置した左右の竪框と、両竪框間に配置した連結材と、左右の竪框の長手方向端部に取付けた竪框端部キャップとを備え、左右の竪框は、それぞれ見込み方向の一方側に偏った位置で連結材と回動自在に連結してあり、竪框端部キャップは、互いに係合し合う係合部を有し、係合し合う係合部のうちの少なくとも一方の係合部は、係合面が見込み方向と平行に且つ見込み方向に所定の幅で設けてあり、折戸を閉めたときに係合部が竪框の回動軸よりも見込み方向他方側で且つ左右の竪框間の中央位置で係合すると共に見込み面同士が竪框の回動軸よりも見込み方向他方側で当接することを特徴とする。
【発明の効果】
【０００７】
請求項１記載の発明による折戸は、折戸を閉めたときに竪框端部キャップの係合部が竪框の回動軸よりも見込み方向他方側で且つ左右の竪框間の中央位置で係合することで折戸を閉状態に保持でき、尚且つ竪框端部キャップの見込み面同士が竪框の回動軸よりも見込み方向他方側で当接することで、折戸の逆折れを確実に防止できる。連結材は長手方向端部に取付けた竪框端部キャップ部を除く竪框間に配置してあり、竪框端部キャップのみで折戸の閉状態の保持と逆折れ防止がなされるため、構造が簡単になる。しかも、左右の竪框間に設けた連結材により、指挟みを防止できる。
【０００８】
請求項２記載の発明による折戸は、竪框端部キャップの見込み面に凹部を有し、係合部は凹部内に設けてあると共に先端部が凹部から突出しており、折戸を閉めたときに係合部が凹部内で係合するようにしたので、折戸を閉めた状態で係合部が外部から見えない。
【０００９】
請求項３記載の発明による折戸は、係合し合う係合部のうちの少なくとも一方の係合部の係合面が、見込み方向と平行に且つ見込み方向に所定の幅で設けてあるので、折戸の閉鎖時に左右の竪框が見込み方向にずれていても係合部が互いに係合する。
【発明を実施するための最良の形態】
【００１０】
以下、本発明の実施の形態を図面に基づいて説明する。図１は、本発明の折戸の一実施形態を示す正面図であり、図２は図１のＡ−Ａ断面図、図３は図１のＢ−Ｂ断面図である。本実施形態は、室内の間仕切りとして用いられるものであって、天井と床に取付けた上下のレール１３，１４間に、折戸を２組設けている。折戸は、左右２枚の扉１ａ，１ｂを連結したものであり、左右の扉１ａ，１ｂは、連結部と反対側の上部と下部が、上レール１３に案内した吊具１５と下レール１４に案内したピボット軸１６によりそれぞれ支持され、図２に仮想線で示すように、前側に突き出すように折り曲げて開くものである。上レール１３と下レール１４は、図３に示すように、戸当たりを有しないものとなっており、下レール１４は上面が床面１７と略フラットになっている。以下、左右の扉１ａ，１ｂの連結部の構造について詳細に述べる。
【００１１】
左右の扉１ａ，１ｂの連結側の縁部には、図４に示すように、アルミニウム合金の押出形材で形成した竪框２ａ，２ｂがそれぞれ取付けてある。竪框２ａ，２ｂは、図５に示すように、見込み面が開放した略コ字状断面となっており、後側の壁の端縁部には、内側に円弧状に曲がった曲がり部６ａと、曲がり部６ａの先端より扉側に突出した突出部６ｂとから成る断面フ字状の軸部６が形成してある。竪框の前面には凹み部２７を形成し、連結側の竪框２ａ，２ｂの見込み寸法を扉１ａ，１ｂ側よりも一段小さくしている。
左右の竪框２ａ，２ｂの内部には、アルミニウム合金の押出形材よりなる連結材３が跨って配置してある。連結材３の上下端部には、蓋体１８ａ，１８ｂがビス１９で取付けてある。連結材３は、後側の壁３ａが略フラットで前側の壁３ｂが半円弧状に湾曲しており、後側の壁３ａの中央部には溝２０が形成してあり、該溝２０内に樹脂製の軸受部材２１を取付けている。軸受部材２１は、左右の竪框２ａ，２ｂの軸部６，６が回動自在に係合する軸受け部７，７を有している。折戸の開閉時には、図５（ｂ）に示すように、竪框２ａ，２ｂは軸部６の先端部を回動軸として回動し、竪框２ａ，２ｂの前側の壁の端縁部２２は連結材３の半円弧状の壁３ｂに沿って移動する。図８に示すように、折戸が折れた状態では、左右の竪框２ａ，２ｂ間の隙間が連結材３によって塞がれるため、左右の竪框２ａ，２ｂ間での指挟みを連結材３により防止できる。
【００１２】
左右の竪框２ａ，２ｂの上端部と下端部には、図４，８に示すように、樹脂製の竪框端部キャップ４ａ，４ｂ，５ａ，５ｂがビス２９でそれぞれ取付けてある。上側の竪框端部キャップ４ａ，４ｂは、図６に示すように、前面と後面が共にフラットで、竪框２ａ，２ｂの扉１ａ，１ｂ側の見込み寸法と略同一の見込み寸法Ｈを有する四角いブロック状となっている。左右の竪框端部キャップ４ａ，４ｂの見込み面１０ａ，１０ｂと後面とのコーナー部２３は、竪框２ａ，２ｂの軸部６の曲がり部６ａに沿うように円弧状に面取りしてある。折戸を閉鎖したときには、図６（ａ）に示すように、左右の竪框端部キャップ４ａ，４ｂの見込み面１０ａ，１０ｂ同士が竪框２ａ，２ｂの軸部６よりも前側で当接し、このように竪框端部キャップ４ａ，４ｂの見込み面１０ａ，１０ｂ同士が当接することで、折戸が逆折れするのを防止している。
【００１３】
さらに左右の竪框端部キャップ４ａ，４ｂは、図４，６，８に示すように、見込み面１０ａ，１０ｂに凹部１２ａ，１２ｂがそれぞれ形成してあり、凹部１２ａ，１２ｂの底面２４から左右方向に水平に突出する形で、折戸閉鎖時に互いに係合し合う係合部８，９を設けてあり、係合部８，９が係合することで折戸を閉鎖状態に保持できるようにしている。左側の竪框端部キャップ４ａの係合部８は、凹部１２ａの見込み寸法ａと略同一の見込み寸法を有する板状部８ａと、板状部８ａの先端部に見込み方向に連続する円形断面の膨らみ部８ｂを有する形状となっており、膨らみ部８ｂは凹部１２ａから突出していると共に前後面にテーパー部２５を形成し、膨らみ部８ｂ先端の見込み寸法ｂを凹部１２ａ，１２ｂの見込み寸法ａよりも小さくしている。右側の竪框端部キャップ４ｂの係合部９は、図４に示すように、膨らみ部８ｂを上下から挟んで係止する一対の爪片９ａ，９ｂとなっている。爪片９ａ，９ｂは、見込み寸法ｃが凹部１２ａ，１２ｂの見込み寸法ａよりも小さくなっており、先端部の前後面にテーパー部２６を形成して先端の見込み寸法ｄをさらに小さくしてある。
【００１４】
図４，７，８に示すように、下側の竪框端部キャップ５ａ，５ｂにも、上側の竪框端部キャップ４ａ，４ｂと同じように凹部１２ａ，１２ｂと係合部８，９が形成してあり、折戸の閉鎖時には左右の竪框端部キャップ５ａ，５ｂの見込み面１１ａ，１１ｂ同士が当接することで折戸の逆折れを防止し、且つ係合部８，９が互いに係合することで折戸を閉状態に保持する。上側の竪框端部キャップ４ａ，４ｂと異なるのは、前面に竪框２ａ，２ｂ前面の凹み部２７に沿うように凹み部２８を形成し、見込み面１１ａ，１１ｂの見込み寸法を小さくしている点である。
折戸の開閉時に手の力が加わりやすく、したがって逆折れが起こりやすいのは扉上部であり、上側の竪框端部キャップ４ａ，４ｂの見込み面１０ａ，１０ｂの見込み寸法Ｈを扉１ａ，１ｂの見込み寸法と略同一とし、見込み面１０ａ，１０ｂ同士が軸部６から最も離れた位置まで当接するため、確実に逆折れを防止することができ、これと比較して逆折れが発生し難い扉下部側では、竪框端部キャップ５ａ，５ｂの前面に凹み部２８を設けてあり、軸部６からの距離が比較的小さい範囲で見込み面１１ａ，１１ｂ同士が当接するため、折戸が閉鎖する直前に誤って足の指を軸部６に近接させても指詰めを防止できると共に、必要最小限の逆折れ防止機能を発揮できる。
【００１５】
凹部１２ａ，１２ｂと係合部８，９は、図７，８に示すように、下框端部キャップ５ａ，５ｂの見込み面１１ａ，１１ｂのできるだけ前側に寄った位置に設けてある。そうすることで係合部８，９を軸部６からなるべく離して設けることになり、折戸開閉時に係合部８，９に掛かるモーメントが大きくなるため、係合部８，９が軽い力で係脱し、また折戸を閉鎖した状態では係合部８，９が係合することによる閉鎖状態に保持する力が高められる。なお係合部８，９と凹部１２ａ，１２ｂは、上側の竪框端部キャップ４ａ，４ｂと下側の竪框端部キャップ５ａ，５ｂとで、見込み方向の同じ位置に設けてある。
【００１６】
折戸が閉まるときには、図９（ａ），（ｃ）に示すように、左右の竪框端部キャップ４ａ，４ｂ，５ａ，５ｂの係合部８，９が、互いに係合し合いながら相手方の竪框端部キャップの凹部１２ａ，１２ｂ内に没入し、最終的には図６（ａ）、図７（ａ）に示すように、係合部８，９が突き合わさった凹部１２ａ，１２ｂ内に隠れた状態で係合する。このように、折戸閉鎖時に係合部８，９が外部に露出しないことで、意匠性を高めることができる。また、係合部８，９が凹部１２ａ，１２ｂの底面２４から左右方向に突出し、先端部のみが凹部１２ａ，１２ｂから突出していることで、折戸が開いた状態のときでも係合部８，９が目立たず意匠性が良好である。さらに、係合部８，９の長さを長く確保できることから、係合部９の爪片９ａ，９ｂに十分なバネ性を持たせることができ、閉鎖保持力を高められる。
【００１７】
本実施形態のもののように２箇所の軸部６，６で折れ曲る折戸では、図１０に示すように、折戸が閉鎖する直前において左右の扉１ａ，１ｂが見込み方向にずれることがある。そのような場合でも、係合部８，９の先端部にテーパー部２５，２６を設けてあり、係合部先端の見込み寸法ｂ，ｄを凹部１２ａ，１２ｂの見込み寸法ａよりも小さくしてあるため、係合部８，９の先端が相手方の竪框端部キャップの見込み面１０ａ，１０ｂ，１１ａ，１１ｂとぶつかって折戸の閉鎖が阻害されることがない上に、右側の係合部９の見込み寸法ｃを左側の係合部８及び凹部１２ａの見込み寸法ａよりも小さくしてあるため、係合部８，９同士が見込み方向にずれていても確実に係合する。さらに、左側の係合部８の見込み寸法ａを右側の竪框端部キャップの凹部１２ｂの見込み寸法と略同一にしているため、当該係合部８が相手方の凹部１２ｂ内に没入するのに伴って左右の竪框２ａ，２ｂの見込み方向のずれを修正し、確実な閉鎖状態が得られる。
以上に述べたように本折戸は、連結材３により指挟みを防止しながら、上下の竪框端部キャップ４ａ，４ｂ，５ａ，５ｂで確実な閉状態の保持と逆折れ防止がなされる極めて合理的なものであり、バネで付勢した可動部品を用いるものとは異なり、構造が簡単で組立ても容易に行える。
【００１８】
本発明は以上に述べた実施形態に限定されない。竪框端部キャップの係合部は、折戸閉鎖時に互いに係合するものであれば、任意の形状とすることができる。竪框端部キャップの凹部は、見込み面側だけでなく上面側や下面側も開放していてもよい。竪框端部キャップの見込み面は、折戸閉鎖時に軸部よりも見込み方向他方側で当接すればよく、必ずしも見込み面が全面的に当接しなくてもよい。上側又は下側のいずれか一方の竪框端部キャップのみで、折戸の閉状態の保持と逆折れ防止を行うこともできる。竪框と連結材の断面形状は、軸部と軸受け部の断面形状も含めて適宜変更することができる。本発明の折戸は、部屋の間仕切り用に限らず、浴室の出入り口等に用いることもできる。
【図面の簡単な説明】
【００１９】
【図１】本発明の折戸の一実施形態を示す正面図である。
【図２】図１のＡ−Ａ断面図である。
【図３】図１のＢ−Ｂ断面図である。
【図４】左右の扉の連結部を拡大して示す正面図である。
【図５】（ａ）は図４のＡ−Ａ断面図であり、（ｂ）は折戸が折れた状態における同位置の横断面図である。
【図６】（ａ）は図４のＢ−Ｂ断面図であり、（ｂ）は折戸が折れた状態における同位置の横断面図である。
【図７】（ａ）は図４のＣ−Ｃ断面図であり、（ｂ）は折戸が折れた状態における同位置の横断面図である。
【図８】折戸が折れた状態での左右の扉の連結部の斜視図である。
【図９】（ａ）は折戸が閉鎖する直前の状態における図４のＢ−Ｂ線断面図であり、（ｂ）は同状態における図４のＡ−Ａ線断面図であり、（ｃ）は同状態における図４のＣ−Ｃ線断面図である。
【図１０】（ａ）は折戸が閉鎖する直前であって且つ左右の扉が見込み方向にずれた状態における図４のＢ−Ｂ線断面図であり、（ｂ）は同状態における図４のＡ−Ａ線断面図であり、（ｃ）は同状態における図４のＣ−Ｃ線断面図である。
【符号の説明】
【００２０】
１ａ，１ｂ  扉  
２ａ，２ｂ  竪框  
３  連結材
４ａ，４ｂ  竪框端部キャップ（上側）
５ａ，５ｂ  竪框端部キャップ（下側）
６  軸部（回動軸）
７  軸受け部
８，９  係合部
１０ａ，１０ｂ  竪框端部キャップ見込み面（上側）
１１ａ，１１ｂ  竪框端部キャップ見込み面（下側）
１２ａ，１２ｂ  凹部
２４  凹部の底面
【図１】
0005142814.tif 000002
【図２】
0005142814.tif 000003
【図３】
0005142814.tif 000004
【図４】
0005142814.tif 000005
【図５】
0005142814.tif 000006
【図６】
0005142814.tif 000007
【図７】
0005142814.tif 000008
【図８】
0005142814.tif 000009
【図９】
0005142814.tif 000010
【図１０】
0005142814.tif 000011